(57)【特許請求の範囲】
【請求項１】
回収された生ごみを乾燥させる乾燥部と、
前記乾燥部で乾燥された生ごみを燃焼させる燃焼装置と、
前記燃焼装置で発生する燃焼熱を、前記乾燥部に伝導する伝熱部と、を備え、
前記乾燥部は、前記燃焼装置の周囲に設けられ、
前記燃焼装置は、
同軸で回転可能な外筒と内筒との二重構造を有する本体筒と、
前記筒体の先端に接続して、前記燃焼剤を燃焼させる燃焼筒と、
前記外筒と内筒との隙間を利用して、前記内筒および前記燃焼筒の内部空間に、空気を供給する通風路と、を有し、
前記本体筒および前記燃焼筒は、水平面に対して上向きの傾斜を有し、
前記通風路は、供給可能な全空気量の３０％〜５０％を、前記内筒の内部空間に供給し、供給可能な全空気量の５０％〜７０％を、前記燃焼筒の内部空間に供給する、生ごみの処理装置。
【請求項２】
前記燃焼装置は、前記生ごみを灰化させる、請求項１記載の生ごみの処理装置。
【請求項３】
前記燃焼装置は、所定の燃料を用いて初期燃焼し、前記伝熱部は、初期燃焼で得られる熱を乾燥部に伝導する、請求項１又は２記載の生ごみの処理装置。
【請求項４】
前記初期燃焼後には、前記乾燥部で乾燥された生ごみが、前記燃焼装置に供給される、請求項３記載の生ごみの処理装置。
【請求項５】
前記乾燥部は、前記外筒および前記燃焼筒の少なくとも一部の外周に設けられる、請求項１から４のいずれか記載の生ごみの処理装置。
【請求項６】
前記乾燥部は、６０℃〜９０℃の燃焼温度を維持して、生ごみを乾燥させる、請求項１から５のいずれか記載の生ごみの処理装置。
【請求項７】
前記乾燥部は、含水率が１０％〜１５％となるように、生ごみを乾燥させる、請求項１から６のいずれか記載の生ごみの処理装置。
【請求項８】
前記内筒の内部空間に生ごみを破砕する破砕部材が収納されている、請求項１から７のいずれか記載の生ごみの処理装置。
【請求項９】
前記破砕部材は、酸化アルミナを主成分とし、２〜３０ｍｍの粒径を有する略球体のセラミックボールを含む、請求項８記載の生ごみの処理装置。
【請求項１０】
回収された生ごみを乾燥させる乾燥部と、
前記乾燥部で乾燥された生ごみを燃焼させる燃焼装置と、
前記燃焼装置で発生する燃焼熱を、前記乾燥部に伝導する伝熱部と、を備える処理装置を用いる生ごみの処理方法であって、
前記燃焼装置に初期燃料が供給されて初期燃焼して初期燃焼熱が発生し、前記乾燥部は、収容される生ごみを乾燥させ、
前記乾燥部で乾燥された生ごみが前記燃焼装置に供給され、前記燃焼装置は、供給された生ごみを燃焼させて灰化し、
前記燃焼装置は、
同軸で回転可能な外筒と内筒との二重構造を有する本体筒と、
前記筒体の先端に接続して、前記燃焼剤を燃焼させる燃焼筒と、
前記外筒と内筒との隙間を利用して、前記内筒および前記燃焼筒の内部空間に、空気を供給する通風路と、を有し、
前記本体筒および前記燃焼筒は、水平面に対して上向きの傾斜を有し、
前記通風路は、供給可能な全空気量の３０％〜５０％を、前記内筒の内部空間に供給し、供給可能な全空気量の５０％〜７０％を、前記燃焼筒の内部空間に供給する、生ごみの処理方法。
【発明の詳細な説明】
【技術分野】
【０００１】
本発明は、家庭や事業場から生じる生ごみを焼却処理し、焼却処理を通じて生ごみを灰化して資源とする循環型社会を実現する処理装置および処理方法に関する。
【背景技術】
【０００２】
現在、我が国においては多くの生ごみが発生している。生ごみは、家庭からはもちろんのこと飲食店や事業場からも多く発生している。近年、ごみの分別が進んでいるので、生ごみに燃えないごみやリサイクルごみが混ざっていることは少なくなっており、生ごみを含んだごみをそのまま埋め立てることよりは少なくなっている。
【０００３】
このように分別されていることによって、生ごみは焼却処理されることができやすくなり、焼却処理されることが求められるようになる。
【０００４】
しかしながら、生ごみと一言で括ったとしても、発生する生ごみは、様々なごみを含んでいる。含まれるごみのそれぞれでは、含有水分量が異なったり、発火温度が異なったり、燃焼温度が異なったりする。このような相違があることで、焼却処理の対象となる生ごみを均一かつ平均的に燃焼させることは難しい。このように、生ごみを均一かつ平均的に燃焼させることができないことで、結局は燃焼処理した生ごみを、埋め立てに用いるしかなかった。
【０００５】
このような状況において、生ごみの焼却処理についての技術が提案されている（例えば、特許文献１、特許文献２参照）。
【先行技術文献】
【特許文献】
【０００６】
【特許文献１】特開２００９−１８３８３０号公報
【特許文献２】特開２００６−２７５４４２号公報
【発明の概要】
【発明が解決しようとする課題】
【０００７】
特許文献１は、生ごみをはじめとした廃棄物を連続的かつ効率的に処分するために、微生物を用いて廃棄物を分解する廃棄物処理システムを開示する。微生物を用いた分解によって、高い効率で廃棄物を処理できるようにしている。
【０００８】
しかしながら、微生物の付与やこれに合わせた燃焼など、複雑で大掛かりな要素を多く含むので、廃棄処理システム（装置）が大掛かりになる。加えて、微生物を用いる分解は、微生物の選択や地域特性によって、結果にばらつきが出やすい問題もある。このため、特許文献１に開示される廃棄物処理システムは、大型の廃棄物処理場にしか設置できず、地域ごとの小規模あるいは中規模の焼却処理場に設置するには不適である問題がある。
【０００９】
特許文献２は、流動媒体が充填された乾燥・熱分解室に流動化ガスを供給して乾燥・熱分解室内の流動媒体を流動化し、乾燥・熱分解室内の流動層内に可燃物を供給する焼却装置を開示する。流動媒体が充填された燃焼室から乾燥・熱分解室に流動媒体を受け入れて可燃物を乾燥し、乾燥された可燃物および乾燥・熱分解室内の流動媒体を燃焼室に供給する。燃焼室に酸素を含む流動化ガスを供給して燃焼室内の流動媒体を流動化し、供給された可燃物を燃焼室の流動層内で燃焼する。燃焼室内の流動媒体を乾燥・熱分解室に供給する。
【００１０】
しかしながら、特許文献２に開示される焼却装置は、流動化ガスの発生、制御、気化など、様々な処理が必要である。これらの処理は、非常にデリケートな制御を要求する。このため、装置が大掛かりになることはもちろんのこと、焼却装置を用いた運用そのもののコストも高めてしまうことになる。コストが高い償却装置は、結局導入されにくいことになってしまい、生ごみ処理の効率化が図られないままとなる。
【００１１】
従来技術における生ごみをはじめとした廃棄物の焼却処理装置は、大掛かりな装置を前提としている。例えば、大型の工場で採用する場合には適しているが、生ごみ処理は、自治体などが採用することが多く、大掛かりで高価な装置は、自治体においては採用しにくい。自治体においては、小規模もしくは中規模での地域拠点において、収集した生ごみを処理したい欲求があり、従来技術にはない、小型でかつ効率の高い焼却装置を求めている。
【００１２】
本発明は、上記課題に鑑み、小型でかつ高効率であって、水分含有量や燃焼速度の不均一な生ごみを焼却処理して、得られる灰をリサイクルに用いることのできる処理装置を提供することを目的とする。
【課題を解決するための手段】
【００１３】
本発明の生ごみの処理装置は、回収された生ごみを乾燥させる乾燥部と、乾燥部で乾燥された生ごみを燃焼させる燃焼装置と、燃焼装置で発生する燃焼熱を、乾燥部に伝導する伝熱部と、を備え、乾燥部は、燃焼装置の周囲に設けられ、燃焼装置は、同軸で回転可能な外筒と内筒との二重構造を有する本体筒と、筒体の先端に接続して、燃焼剤を燃焼させる燃焼筒と、外筒と内筒との隙間を利用して、内筒および燃焼筒の内部空間に、空気を供給する通風路と、を有し、本体筒および燃焼筒は、水平面に対して上向きの傾斜を有し、通風路は、供給可能な全空気量の３０％〜５０％を、内筒の内部空間に供給し、供給可能な全空気量の５０％〜７０％を、燃焼筒の内部空間に供給する。
【発明の効果】
【００１４】
本発明の生ごみの処理装置は、水分含有量の不均一である生ごみを、最初に脱水・乾燥してから燃焼させるので、生ごみを均一に燃焼できる。均一に燃焼できることで、生ごみが完全に燃焼される。
【００１５】
特に、燃焼装置での燃焼熱を生ごみの脱水・乾燥に用いることができるので、処理装置全体が大掛かりにならない。もちろん、熱効率も高まるので、生ごみの処理時間や処理コストが提言できる。
【００１６】
処理装置は、燃焼させた生ごみを灰にでき、この灰は未燃焼物などの不純物を含まないので、肥料などに活用することができる。このため、処理装置は、生ごみのリサイクルを実現することができる。
【図面の簡単な説明】
【００１７】
【図１】本発明の実施の形態１におけるリサイクルシステムの模式図である。
【図２】本発明の実施の形態１における処理装置の斜視図である。
【図３】本発明の実施の形態１におけるコントローラーの模式図である。
【図４】実施の形態１における燃焼装置の側面図である。
【図５】本発明の実施の形態１における実際に製作した燃焼装置の側面図である。
【図６】本発明の実施の形態２における燃焼装置の透視図である。
【図７】本発明の実施の形態３における生ごみの処理方法のフローチャートである。
【発明を実施するための形態】
【００１８】
本発明の第１の発明に係る生ごみの処理装置は、回収された生ごみを乾燥させる乾燥部と、乾燥部で乾燥された生ごみを燃焼させる燃焼装置と、燃焼装置で発生する燃焼熱を、乾燥部に伝導する伝熱部と、を備え、乾燥部は、燃焼装置の周囲に設けられ、燃焼装置は、同軸で回転可能な外筒と内筒との二重構造を有する本体筒と、筒体の先端に接続して、燃焼剤を燃焼させる燃焼筒と、外筒と内筒との隙間を利用して、内筒および燃焼筒の内部空間に、空気を供給する通風路と、を有し、本体筒および燃焼筒は、水平面に対して上向きの傾斜を有し、通風路は、供給可能な全空気量の３０％〜５０％を、内筒の内部空間に供給し、供給可能な全空気量の５０％〜７０％を、燃焼筒の内部空間に供給する。
【００１９】
この構成により、処理装置は、燃焼温度や含水率の異なる生ごみを、確実かつ効率的に燃焼させる。この構成により、燃焼装置は、乾燥生ごみを確実かつ効率的に燃焼できる。特に、無機廃棄物となるまで、完全に燃焼させることができる。
【００２０】
本発明の第２の発明に係る生ごみの処理装置では、第１の発明に加えて、燃焼装置は、生ごみを灰化させる。
【００２１】
この構成により、処理装置は、生ごみを無機廃棄物にできるので、埋め立てを必要としない。
【００２２】
本発明の第３の発明に係る生ごみの処理装置では、第１又は第２の発明に加えて、燃焼装置は、所定の燃料を用いて初期燃焼し、伝熱部は、初期燃焼で得られる熱を乾燥部に伝導する。
【００２３】
この構成により、処理装置は、生ごみの乾燥を行える。
【００２４】
本発明の第４の発明に係る生ごみの処理装置では、第３の発明に加えて、初期燃焼後には、乾燥部で乾燥された生ごみが、燃焼装置に供給される。
【００２５】
この構成により、燃焼装置は、余分な燃料を利用せずに、乾燥生ごみを燃焼させることができる。
【００２８】
本発明の第５の発明に係る生ごみの処理装置では、第１から第４のいずれかの発明に加えて、乾燥部は、外筒および燃焼筒の少なくとも一部の外周に設けられる。
【００２９】
この構成により、乾燥部は、燃焼熱を最大限に活用できる。
【００３０】
本発明の第６の発明に係る生ごみの処理装置では、第１から第５のいずれかの発明に加えて、乾燥部は、６０℃〜９０℃の燃焼温度を維持して、生ごみを乾燥させる。
【００３１】
本発明の第７の発明に係る生ごみの処理装置では、第１から第６のいずれかの発明に加えて、乾燥部は、含水率が１０％〜１５％となるように、生ごみを乾燥させる。
【００３２】
これらの構成により、乾燥部は、燃焼装置での燃焼を容易にする乾燥状態に、生ごみを観想させることができる。
【００３３】
本発明の第８の発明に係る生ごみの処理装置では、第１から第７のいずれかの発明に加えて、内筒の内部空間に生ごみを破砕する破砕部材が収納されている。
【００３４】
本発明の第９の発明に係る生ごみの処理装置では、第８の発明に加えて、破砕部材は、酸化アルミナを主成分とし、２〜３０ｍｍの粒径を有する略球体のセラミックボールを含む。
【００３５】
この構成により、燃焼装置は、より効率的かつ確実に、乾燥生ごみを燃焼させることができる。
【００３６】
以下、図面を参照しながら、本発明の実施の形態を説明する。
【００３７】
（実施の形態１）
【００３８】
まず、生ごみの処理装置を中心としたリサイクルの全体概要について説明する。
【００３９】
（全体概要）
図１は、本発明の実施の形態１におけるリサイクルシステムの模式図である。図１に示されるリサイクルシステム１は、生ごみの処理装置２を中心としたシステムである。生ごみ処理装置２は、自治体、地域、事業場などに設けられる処理施設５に設置される。処理施設５は、大掛かりな施設や領域ではなく、自治体や地域が所有する建物や敷地に、簡易に設けられる程度でよい。あるいは、事業場の一部の領域に処理施設５が設置されれば良い。
【００４０】
家庭４や事業場５から、生ごみ（燃えるごみとして回収されるごみなどを含む。すなわち、いわゆる家事の過程で発生するごみだけでなく、紙ごみや木屑などの焼却可能な燃えるごみ全般を含む）が回収される。回収は、現行でも行われているごみ収集によって実行されれば良い。回収された生ごみは、処理施設５に設けられる集積所３に集積される。処理装置２は、集積所３に集積されている生ごみを燃焼処理する。すなわち、集積所３に集積されている生ごみが、処理装置２に供給されて燃焼処理が行われる。
【００４１】
処理装置２は、燃焼処理した後で生じる灰を、肥料や土壌改良材のリサイクル材として供出する。処理装置２は、後述の通り、生ごみを完全に燃焼して灰化できるので、排出される灰は、余分な成分を含んでおらず、肥料や土壌改良材として容易に活用される。灰が活用されることで、焼却処理後の排出物を、埋め立てする必要がなくなる。
【００４２】
このとき、処理施設５を運営する事業者や自治体が、リサイクル材としての灰を流通させれば良い。例えば、農家に肥料として灰を提供・販売したり、商社を通じて建設会社などに土壌改良材として灰を提供・販売したりする。
【００４３】
このように図１に示されるリサイクルシステムは、従来は焼却処理と埋め立て処理とを必要としていた家庭４や事業場５から排出される生ごみを、完全にリサイクルできるようになる。結果として、循環型社会を実現できるようになる。
【００４４】
次に、生ごみの処理装置２の概要について説明する。
【００４５】
（処理装置）
図２は、本発明の実施の形態１における処理装置の斜視図である。処理装置２は、乾燥部２０、燃焼装置６および伝熱部３０を備える。乾燥部２０は、回収された生ごみを乾燥させる。燃焼装置６は、乾燥された生ごみ（以下、「乾燥生ごみ」という）を燃焼させる。伝熱部３０は、燃焼装置６で発生する燃焼熱を、乾燥部２０に伝導する。
【００４６】
乾燥部２０は、その内部に集積所３から供給される生ごみを収容している。乾燥部２０は、この収容する生ごみを乾燥して、燃焼装置６での燃料となる乾燥生ごみを生成する。
【００４７】
処理装置２は、最初に燃焼装置６に所定の燃料を初期燃料として供給して、燃焼装置６を初期燃焼させる。所定の燃料は、液化燃料であったり、乾燥燃料であったり、ガス燃料であったり、種々のものを含む。この初期燃料による初期燃焼によって、燃焼装置６は、その温度を上昇させる。
【００４８】
乾燥部２０は、燃焼装置６の周囲に設けられる。図２では、燃焼装置６が備える外筒１０および燃焼筒１３の少なくとも一部の外周に、乾燥部２０が設けられる。初期燃焼によって燃焼装置６の温度が上昇すると、外筒１０や燃焼筒１３の温度も上昇する。外筒１０および燃焼筒１３の外周は、伝熱部３０の役割を有しており、外筒１０および燃焼筒１３の熱を、乾燥部２０に伝導する。この伝導された熱によって、乾燥部２０は、収容している生ごみを乾燥させて、乾燥生ごみを生成する。
【００４９】
手動あるいは自動で、乾燥部２０内部の乾燥生ごみが取り出されて、供給部１５から、燃焼装置６の内部に乾燥生ごみが供給される。乾燥生ごみは、脱水および乾燥されているので、燃焼装置６における燃料として適している。脱水および乾燥されていることによって、ごみの種類による含水量のばらつきが少ない。このため、燃焼装置６は、供給される乾燥生ごみを均一に燃焼させることができる。均一な燃焼によって、燃焼後は、不純物や不均一の少ない灰を生成できるようになる。この灰は、上述の通り、不純物や不均一が少ないので、リサイクル材としての活用が容易となる。もちろん、燃え残りや不純物などが非常に少ないことで、燃焼後の物質を埋め立て処理する必要もない。
【００５０】
また、燃焼装置６が乾燥生ごみを燃料として燃焼している間には、外筒１０や燃焼筒１３の温度が上昇する。この温度上昇によって生じる熱を、伝熱部３０は、乾燥部２０に伝導し、乾燥部２０は、収容する生ごみを、乾燥できる。すなわち、処理装置２は、乾燥生ごみによる燃焼によって次に乾燥生ごみとなる生ごみを乾燥することを並列に行える。乾燥生ごみを燃焼処理する際に発生するエネルギーが、燃料となる乾燥生ごみの生成に利用されることで、処理装置２のエネルギー効率は非常に高いことになる。乾燥部２０における生ごみの乾燥と、燃焼装置６で乾燥して得られる乾燥生ごみの燃焼とが並列的かつ連続的に進むことで、処理装置２は、多くの生ごみを効率的に処理できる。
【００５１】
以上のように、処理装置２は、燃焼装置６に最初に与える初期燃料のみで、生ごみの処理および処理後物質のリサイクルを実現でき、循環型社会の実現の一助となる。
【００５２】
次に、各部の詳細について説明する。
【００５３】
（乾燥部）
乾燥部２０は、回収された生ごみ（集積所３を経由しても良いし、各家庭などから直接供給されても良い）を乾燥させる。燃焼装置６での燃焼で発生する熱を利用して、乾燥部２０は生ごみを乾燥して乾燥生ごみを生成する。
【００５４】
乾燥部２０は、燃焼装置６の周囲に設けられることが好ましい。更には、図２に示されるように、外筒１０および燃焼筒１３の少なくとも一部の外周に設けられることが好ましい。外筒１０および燃焼筒１３の少なくとも一方は、燃焼装置６での燃焼によって温度が上昇する。この温度上昇による熱を、外筒１０および燃焼筒１３は有するようになる。
【００５５】
乾燥部２０は、内部空間を有しており、内部空間に対する入り口や出口も必要に応じて有している。回収された生ごみは、内部空間に収容される。生ごみの乾燥部２０への収容は、手作業で行われてもよいし自動で行われても良い。自動で行われるのであれば、ベルとコンベアーなどによって、回収された生ごみが乾燥部２０の内部空間に投入される。
【００５６】
また、内部空間には、入り口から生ごみが投入されれば良い。このとき、乾燥されて得られる乾燥生ごみは、入り口と共通である出口から取り出されても良い。この場合には、乾燥部２０の構造が簡単になるメリットがある。一方、乾燥部２０の内部空間への生ごみの投入と、内部空間からの乾燥生ごみの取り出しを連続的に行う場合には、入り口と出口とが別であることが好ましい。ベルトコンベアーと乾燥部２０とが連続的に設置されており、入り口から内部空間に生ごみが供給され、乾燥生ごみが出口から排出されることが、繰り返される。
【００５７】
乾燥部２０は、燃焼装置６から伝導される熱によって生ごみを乾燥する。すなわち、乾燥部２０は、生ごみを脱水・乾燥処理することになる。生ごみは、含水率や燃焼温度の異なる様々な素材を含んでいるので、そのまま燃焼させても、燃焼むらが生じてしまい、灰化させることが困難である。乾燥部２０は、脱水・乾燥させるので、このような問題を生じさせない。
【００５８】
また、乾燥部２０は、燃焼装置６から伝導される熱を用いて生ごみを乾燥させる。このとき、乾燥部２０は、６０℃〜９０℃の温度を維持して、生ごみを乾燥させる。６０℃未満であると、生ごみの乾燥が不十分であるし、９０℃より高いと、生ごみが乾燥しすぎたり、発火したりして、適切な脱水および乾燥ができなくなるからである。
【００５９】
また、乾燥部２０は、乾燥されて得られる乾燥生ごみの含水率が、１０〜１５％となるように、生ごみを乾燥させることが好適である。乾燥生ごみの含水率が、１０％未満である場合には、乾燥が進みすぎて燃焼での不完全燃焼の原因となりうるからである。一方、乾燥生ごみの含水率が、１５％より大きい場合には、乾燥生ごみが燃焼しにくくなってしまうからである。このため、乾燥部２０は、乾燥生ごみの含水率が１０〜１５％となるように、生ごみを乾燥させることが好適である。
【００６０】
なお、乾燥部２０が生ごみを乾燥させるにおける含水率は、地域性や処理施設５を運営する事業者の仕様によって変動しうる。このため、１０％〜１５％との値は、目安であってこれ以外の含水率を排除する意図ではない。
【００６１】
乾燥部２０は、生ごみを脱水・乾燥させる場合に、ターゲットとなる含水率に到達したことを示す計測部および表示部を有することも好適である。計測部は、例えば乾燥部２０が備える湿度センサーを用いる。湿度センサーの値と生ごみの含水率との相関関係を予め備えておくことで、計測部は、生ごみの含水率を識別できる。
【００６２】
また、含水率を表示する表示部は、処理装置２を操作するコントローラーに合わせて設けられることも好適である。図３は、本発明の実施の形態１におけるコントローラーの模式図である。コントローラー２１は、処理装置２での処理を実行する際に、使用者によって使用される。使用者は、コントローラー２１を用いて、乾燥部２０や燃焼装置６を制御する。
【００６３】
コントローラー２１は、画面２２、操作ボタン２３などを備えており、使用者は、画面２２に表示される表示内容を確認しながら、処理装置２を動作させる。この画面２２には、乾燥部２０において乾燥されている生ごみの含水率が表示される。使用者は、画面２２に表示される含水率を確かめてから、乾燥生ごみを乾燥部２０から取り出す（排出する）操作を行う。
【００６４】
また、画面２２には、生ごみの含水率だけでなく、生ごみの量や作業時間などの様々な情報が表示される。もちろん、使用者にとって必要な作業項目やヘルプ情報も、必要に応じて表示される。
【００６５】
以上のように、乾燥部２０は、生ごみを乾燥させて、燃焼装置６において均一に燃焼させやすくする。この結果、燃焼装置６による生ごみの効率的な焼却処理と、完全な焼却処理とが可能となり、灰化が実現できる。
【００６６】
なお、乾燥部２０は、燃焼装置６が発生する熱を受けて生ごみを乾燥させるので、乾燥部２０が燃焼装置６の周囲に設けられることが好ましい。周囲とは、物理的な外周だけでなく、燃焼装置６の熱を伝導できる領域も含む。
【００６７】
また、乾燥部２０は、燃焼装置６が外部に放出する熱を回収して、回収した熱を生ごみの乾燥に用いることも好適である。燃焼装置６は、燃焼に合わせて外部に放出する。例えば、燃焼装置６の外部に循環路が設けられて、この循環路は乾燥部２０に熱を誘導する。すなわち、この循環路は伝熱部３０の役割を果たす。あるいは循環路ではなく、外部に放出された熱を、袋のようなもので回収して、乾燥部２０に供給されても良い。
【００６８】
また、乾燥部２０に、生ごみが自動で運搬されるコンベアーが備わることも好適である。コンベアーは、乾燥部２０に生ごみを自動で運搬し、生ごみの乾燥にかかる手間を削減する。また、このコンベアーそのものが乾燥機能を有しており、乾燥機能によって処理装置１に運搬される際には、生ごみが既に乾燥状態であることもよい。この場合には、コンベアーが乾燥部２０としての機能を果たす。
【００６９】
更には、乾燥部２０に運搬される前に、生ごみを粉砕する粉砕処理部が備わっていても良い。粉砕されてから乾燥、燃焼されることで、効率的かつ容易な燃焼が可能となるからである。
【００７０】
（伝熱部）
伝熱部３０は、燃焼装置６で発生する熱を、乾燥部２０に伝導する。例えば、図２に示されるように、乾燥部２０が燃焼装置６の外筒１０および燃焼筒１３の少なくとも一部の外周に設けられる場合には、外筒１０および燃焼筒１３の外周部材が伝熱部３０となる。
【００７１】
また、乾燥部２０が、燃焼装置６から離れた位置に設けられる場合には、伝熱部３０は、この乾燥部２０に燃焼熱を伝導させる金属部材を備える。あるいは、伝熱部３０は、熱を有する空気を送る送風機構を備える。これらの構造によって、伝熱部３０は、燃焼装置６で発生する熱を、乾燥部２０まで運搬する。燃焼装置６が送風パイプを備えており、この送風パイプが燃焼装置６で発生する熱を、乾燥部２０に伝導する（伝播する）。
【００７２】
伝熱部３０は、燃焼装置６で発生する熱を伝導させるので、熱伝導性の高い素材で構成されることが好ましい。金属、合金などがこの素材の候補として挙げられる。例えば銅やアルミニウムは、熱伝導性が高く伝熱部３０の素材として好適である。もちろん、燃焼装置６の筒体の外周が伝熱部３０となる場合には、燃焼装置６に必要となる耐久性や耐熱性も必要であるので、これらに対応する素材が、伝熱部３０を構成すれば良い。
【００７３】
伝熱部３０は、このように、様々な手段や構成を用いて、燃焼装置６で発生する熱を乾燥部２０に伝導する。この伝熱部３０による熱の伝導を受けて、乾燥部２０は、生ごみを乾燥させる。
【００７４】
（燃焼装置）
次に、燃焼装置について説明する。図４は、実施の形態１における燃焼装置の側面図である。図４は、乾燥部２０などと燃焼装置６を一緒に示している。燃焼装置６は、乾燥部２０で乾燥されて得られる乾燥生ごみ（既に述べた通り、乾燥部２０で乾燥させられた生ごみ。狭義の生ごみだけを含むのではなく、家庭や事業上から排出される燃えるごみ一般を広く含む）を燃焼させる。この燃焼によって、乾燥生ごみは、完全に燃焼されて、灰化する。燃焼装置６は、乾燥生ごみの燃焼ムラを生じさせないので、灰化して得られる灰は、余分な有機物となりうる燃え残りが生じることはない。このため、得られる灰は、肥料や土壌改良材などに好適に利用できるようになる。
【００７５】
燃焼装置２は、本体筒１２と燃焼筒１３とを大きな構成要素として備える。本体筒１２は、一次燃焼を行い、燃焼筒１３は、二次燃焼を行う。一次燃焼と二次燃焼とを一体の燃焼装置６で行えることで、乾燥生ごみを確実に燃焼させることができる。特に、一次燃焼と二次燃焼とを一体の燃焼装置６が行えることで、常に高温を保つことができる。
【００７６】
本体筒１２は、外筒１０と内筒１１とを備え、外筒１０と内筒１１とは同軸で回動可能な二重構造を有する。すなわち、内筒１１の周囲を外筒１０が覆う二重構造であって、外筒１０と内筒１１とは、同軸で一緒に回動する（勿論個別に回動しても良い）。この二重構造によって、外筒１０と内筒１１との間には隙間が生じる。この隙間は内筒１１と燃焼筒１３の内部空間に空気を供給する通風路１４となる。
【００７７】
図４中の破線矢印は、空気の供給経路を示す。なお、通風路１４を通る空気は、外筒１０の根元における開口部から取り込まれる。
【００７８】
外筒１０と内筒１１とは、開放されている開放端部と閉塞している閉塞端部とを有する。開放端部には、燃焼筒１３が接続され、内筒１１の内部で一次燃焼していた燃焼剤が、更に高温になって燃焼筒１３の内部空間で二次燃焼を行う。
【００７９】
内筒１１の外周の一部は、切れ欠きを有しており、この切れ欠きを通じて、通風路１４は、空気を内筒１１の内部に送り込む。また、燃焼筒１３は、外筒１０に接続されているので、内筒１１と外筒１０との二重構造によって生じる隙間である通風路１４の先端が、燃焼筒１３の根元に接続する。すなわち、通風路１４の先端の開放部から、そのまま空気が燃焼筒１３の内部空間に送り込まれる。
【００８０】
このようにして、通風路１４は、内筒１１の内部空間と燃焼筒１３の内部空間のそれぞれに空気を送り込む。
【００８１】
また、このとき、通風路１４は、取り込んだ空気であって供給可能な全空気量の３０％〜５０％を内筒１１の内部空間に供給し、全空気量の５０％〜７０％を燃焼筒１３の内部空間に供給する。このように、一次燃焼を行う内筒１１に供給される空気量よりも、二次燃焼を行う燃焼筒１３に供給される空気量が多いことで、一次燃焼に引き続く二次燃焼の燃焼力が高まり、燃焼装置６は、常に高い温度（９００℃以上）を維持しながら、乾燥生ごみを燃焼させることができる。すなわち、一次燃焼を行う内筒１１の内部空間は、全供給量の半分以下の空気の供給によって、一定温度までの燃焼を行う。温度が上昇して、燃焼剤２０の灰化が進むにつれてその質量が軽くなっていくと、燃焼剤２０および炎は物理的に上方に位置する燃焼筒１３に上昇する。この燃焼筒１１の内部空間は、内筒１１よりも多い量の空気を供給されるので、内筒１１における燃焼温度よりも高い温度で、燃焼剤を燃焼させる。結果として、乾燥生ごみを確実に灰化して無機廃棄物にする。
【００８２】
ここで、本体筒１２と燃焼筒１３とは、水平面に対して上向きの傾斜を有するので、内筒１１での一次燃焼から燃焼筒１３での二次燃焼に、物理的につながりやすくなる。温度上昇に合わせて燃焼物体が上方に上昇するが、上方においては、燃焼筒１３が存在するので、乾燥生ごみは、この燃焼筒１３で更に高温に燃焼される。
【００８３】
なお、乾燥生ごみは、供給路１５を通じて、内筒１１の内部空間に供給される。
【００８４】
燃焼手段５は、このような構造を有する燃焼装置６を用いることで、乾燥生ごみを確実に燃焼させて灰化させ、有機廃棄物を無機廃棄物に変換できる。また、燃焼において、９００℃以上の高温を維持して乾燥生ごみが燃焼されるので、有毒ガスや飛散物もほとんど出ない。
【００８５】
（燃焼装置の実施例）
図５は、本発明の実施の形態１における実際に製作した燃焼装置の側面図である。
【００８６】
燃焼装置６は、前方が開口しており、後方が閉塞している。開口している前方において燃焼した熱量が放散され、閉塞している後方において、乾燥生ごみや空気が取り込まれる。
【００８７】
本体筒２９は、同軸で回動可能な外筒３２と内筒３３とを備え、内筒３３の周囲を一定の隙間を保って外筒３２が覆う二重構造となっている。本体筒２９は、回動可能であるので、内筒３３は、回動する。この回動によって、内筒３３の内部空間も回動できる。回動によって、内筒３３の内部空間に収納される乾燥生ごみが、燃えながら回転できるので、乾燥生ごみに満遍なく空気や炎が接触でき、内筒３３での一次燃焼が促進される。
【００８８】
本体筒２９の開口部には、同じ筒体である燃焼筒３５が接続する。燃焼筒３５は、外筒３２と接続する状態で接続するので、内筒３３と外筒３２との間に生じる隙間の一端が、そのまま燃焼筒３５の内部空間に接続する。燃焼筒３５は、一次燃焼の終わった燃焼剤が、質量低下と温度上昇によって物理的に上昇するのを捕捉して、乾燥生ごみを更なる高温で燃焼させる。
【００８９】
ここで、本体筒２９と燃焼筒３５とは水平面に対して上向きの傾斜を有する。ここで、上向きとは、燃焼筒３５の開口部が上向きとなる状態を言う。
【００９０】
このような傾斜を有することで、内筒３３の内部空間で所定の温度で燃焼した乾燥生ごみは、その質量が減じるので、上方に移動しやすくなる。上方においては、燃焼筒３５が位置するので、燃焼筒３５は、この移動してきた乾燥生ごみを燃焼させる。すなわち、二次燃焼させる。
【００９１】
ここで、外筒３２と内筒３３との間の隙間は、通風路３７となる。通風路３７は、空気の供給口４５から取り込まれた空気を、内筒３３の内部空間と燃焼筒３５の内部空間に供給する。ここで、供給口４５は、外界とつながっており、外界から空気を取り込んで、通風口３８を介して空気を通風路３７に送る。通風路３７は、この供給された空気を移動させて、その一部を内筒３３の内部空間に供給し、残りを燃焼筒３５の内部空間に供給する。
【００９２】
内筒３３は、その外周に吹き出し口４０を備える。吹き出し口４０は通風路３７と連通するので、通風路３７を通る空気は、吹き出し口４０から漏れて、内筒３３の内部空間に送り込まれる。すなわち、通風路３７は、吹き出し口４０を介して、内筒３３の内部空間に空気を供給する。
【００９３】
一方、通風路３７の先端は、燃焼筒３５に直接的に接続している。このため、通風路３７は、先端から燃焼筒３５の内部空間に空気を供給する。通風路３７は、外界から取り込める（すなわち燃焼装置６に供給できる）全空気量の３０％〜５０％を内筒３３の内部空間に供給する。一方通風路３７は、全空気量の５０〜７０％を燃焼筒３５の内部空間に供給する。すなわち、燃焼筒３５に供給される空気量が、内筒３３に供給される空気量よりも多い。結果として、より高温で燃焼する必要のある二次燃焼を行う燃焼筒３５に供給される空気量が多くなり、二次燃焼が最適に行われる。
【００９４】
なお、吹き出し口４０の位置、数、開口面積、形状、角度などを調整することで、通風路３７による内筒３３への供給量と燃焼筒３５への供給量との割合を、適宜調節できる。たとえば、吹き出し口４０の総開口面積と通風路３７と燃焼筒３５との接続する総開口面積との比較において、前者よりも後者を大きくすれば、内筒３３の内部空間に供給される空気量よりも、燃焼筒３５の内部空間に供給される空気量が多くなるように調整できる。
【００９５】
燃焼装置６は、全空気量の３０〜５０％が供給されると共に物理的に下方に位置する内筒３３における一次燃焼と、この一次燃焼に続き、全空気量の５０％〜７０％が供給されると共に内筒３３よりも物理的に上方に位置する燃焼筒３５の二次燃焼との連続性によって、乾燥生ごみを確実に燃焼させる。この確実な燃焼によって、有機廃棄物は完全に灰化して、無機廃棄物へと変化する。
【００９６】
（燃焼装置の動作）
次に、燃焼装置６の動作について説明する。
乾燥生ごみが、供給路４６に投入される。燃焼剤の投入は、人力で行われてもよいし、機械で行われても良い。ここで、乾燥生ごみは、乾燥部２０で乾燥された状態のままで投入されても良いし、一定のサイズに切断等された状態で投入されても良いし、ペレット状に形成されてから投入されても良い。
【００９７】
供給路４６に投入された乾燥生ごみは、回動するスクリューコンベア４７の羽根に乗って運搬される。運搬された乾燥生ごみは、内筒３３の内部空間に運び込まれる。内筒３３の内部空間には、着火装置などによって火が着火されている。
【００９８】
供給口４５は、外界とつながっており、供給口４５は、外界から空気を取り込む。取り込まれた空気は、通風口３８を通じて通風路３７に送り込まれる。通風路３７は、吹き出し口４０を通じて、内筒３３の内部空間に空気を供給する。このとき、吹き出し口４０の総開口面積と通風路３７と燃焼筒３５との接続する開口面積との比率によって、通風路３７は、内筒３３に全空気量の３０％〜５０％を供給する。
【００９９】
内筒３３は、供給される乾燥生ごみと空気によって、乾燥生ごみを燃焼させる。内筒３３が回動することにより、乾燥生ごみが満遍なく空気と接触でき、乾燥生ごみが確実に燃焼させられる。また、空気量の半分以下での空気によっての燃焼であるので、一定温度までで燃焼する。
【０１００】
内筒３３の内部空間で燃焼した乾燥生ごみは、温度が上昇すると共に質量が軽くなる。このため、次第に上方に移動しうる。
【０１０１】
上方においては、燃焼筒３５が設けられており、燃焼筒３５へは、全空気量の半分以上が供給される。このより多い空気量によって、燃焼筒３５は、乾燥生ごみを更なる高温で燃焼させる。これが二次燃焼である。乾燥生ごみが、更なる高温で燃焼されることで、乾燥生ごみは確実に灰化し、有機成分が無くなって無機廃棄物が得られる。ここで、燃焼装置６は、９００℃以上の温度を維持しながら、乾燥生ごみを燃焼させることができる。無機廃棄物である灰と化すことで、灰は、肥料や土壌改良材として用いることができる。
【０１０２】
以上のように、燃焼装置６は、乾燥部２０で乾燥されて得られる乾燥生ごみを確実に燃焼し、灰化できる。このとき、乾燥部２０で生ごみが乾燥させられていることと燃焼装置６の一次燃焼および二次燃焼を行える特殊な構造とが相まって、含水率や燃焼温度などが様々な物質を含む乾燥生ごみを、処理装置２は、十分に燃焼してリサイクル物質となる灰を得ることができる。
【０１０３】
この灰である無機廃棄物は、畜糞尿を成分としていた有機廃棄物の燃焼によって得られるので、リン成分やカリウム成分などの肥料や水質改質剤にとっての有用成分を含んでいる。これらは、肥料、土壌改良材、水質改質材などに好適に利用できる。すなわち、処理装置２は、リサイクル実現のコア技術となりうる。
【０１０４】
（実施の形態２）
【０１０５】
次に、実施の形態２について説明する。
【０１０６】
実施の形態２における処理装置２は、実施の形態１と同様に燃焼装置６を備えているが、実施の形態２で用いる燃焼装置６は、内筒３３の内部空間に燃焼剤を破砕する破砕部材を収納している。
【０１０７】
図６は、本発明の実施の形態２における燃焼装置の透視図である。図６は、燃焼装置６をその内部が見えるように表しており、図５に示される燃焼装置６と異なり、内筒３３の内部空間に破砕部材Ｂを収納している。なお、図５と同じ符号については説明を省略する。
【０１０８】
乾燥生ごみＡは、供給路４６から投入される。図６においては、乾燥生ごみＡはペレット状に形成されている。もちろん、ペレット状に形成されていなくてもよい。燃焼装置６は、ペレット形状を有した乾燥生ごみＡを、所定形状のまま燃焼させるのが通常である。しかしながら、所定形状よりも更に砕いて燃焼させるほうが、燃焼が容易であったり得られる灰の燃焼進行も良かったりする。
【０１０９】
このような場合には、投入された所定形状のままで燃焼装置６が燃焼させるよりも、乾燥生ごみＡを破砕した上で燃焼させた方が良い場合もある。破砕部材Ｂは、このような場合に、乾燥生ごみＡを破砕する。
【０１１０】
破砕部材Ｂは、球状、楕円球状、方形状など種々の形状を有することが好ましく、熱に強い素材であることが好ましい。例えば、破砕部材Ｂは、酸化アルミナを主成分として、２〜３０ｍｍの粒径を有する略球体のセラミックボールである。このような破砕部材Ｂは、内筒３３の内部空間で、乾燥生ごみＡとぶつかり合うことによって、乾燥生ごみＡを破砕させる。乾燥生ごみＡは、破砕部材Ｂによって、破砕されて細かく砕かれる。特に、内筒３３は、外筒３２と共に回動可能であるから、この回動に合わせて、破砕部材Ｂは、乾燥生ごみＡに衝突を繰り返す。この衝突の繰り返しによって、破砕部材Ｂは、乾燥生ごみＡを細かく砕く。乾燥生ごみＡは細かく砕かれることによって、表面積が大きくなり、燃焼されやすくなる。この結果、乾燥生ごみＡはより容易に燃焼し、多くの熱量が得られる。更には、燃焼によって灰化が進み、有機成分がほとんど消滅した無機廃棄物が得られる。
【０１１１】
以上のように、必要に応じて、燃焼装置６は、破砕部材Ｂを収納することも好適である。燃焼装置６は、破砕部材をはじめとして、燃焼を促進する様々な工夫を有していることが好ましい。
【０１１２】
（実施の形態３）
【０１１３】
次に、実施の形態３について説明する。
【０１１４】
実施の形態３では、処理装置２を用いた処理手順について説明する。図７は、本発明の実施の形態３における生ごみの処理方法のフローチャートである。
【０１１５】
まず、生ごみが回収される。生ごみはいわゆる一般ごみといわれる燃えるごみを広く含む。ステップＳＴ１の初期燃焼工程にて、処理装置２が備える燃焼装置６が初期燃焼させられる。初期燃焼においては、化石燃料、燃焼ガスなど、燃焼装置６が初期燃焼するための燃料が与えられる。
【０１１６】
この初期燃焼の際に、乾燥部２０に生ごみが投入されて、生ごみが乾燥させられる。これは、ステップＳＴ２にて行われる第１乾燥工程である。この第１乾燥工程によって、燃料による燃焼で生ごみが乾燥させられる。この第１乾燥工程によって生じた乾燥生ごみは、ステップＳＴ３の投入工程によって燃焼装置６に投入される。
【０１１７】
次に、投入された乾燥生ごみが、ステップＳＴ４の燃焼工程によって燃焼させられる。この燃焼工程では、実施の形態１，２で説明された燃焼装置６が用いられて、効率的かつ完全に乾燥生ごみが燃焼させられる。この燃焼工程ＳＴ４と並行して、ステップＳＴ５の通常乾燥工程によって、乾燥部２０が次の生ごみを乾燥させる。すなわち、燃焼工程での熱によって、次々と生ごみが乾燥させられる。乾燥工程で得られる乾燥生ごみは、燃焼装置６の燃料となるので、次のステップＳＴ６で、新たに生じる乾燥生ごみが燃焼装置６に投入される。
【０１１８】
投入されれば、この乾燥生ごみは、ステップＳＴ４の燃焼工程で燃焼される。この燃焼によって生ごみは灰化して、無機廃棄物である灰が得られる。この灰は、肥料や土壌改良材として用いられる。もちろん、これ等以外の工程が追加されたり、状況に応じていずれかの工程が省略されたりしても良い。
【０１１９】
生ごみの処理装置２は、このような生ごみの処理方法によって利用され、リサイクル社会のコア技術となりうる。
【０１２０】
このような廃棄物の循環が行われることで、リサイクルに対する認知度も高まる上、リサイクルを行う業者にとってもコストと収益のバランスが図られるので、リサイクルに参入するメリットが生じる。このように、受益者にとっても提供者にとってもメリットのあるリサイクル方法によって、リサイクルが定着しやすくなるメリットがある。
【０１２１】
もちろん、生ごみの処理において、埋め立てなどの処理が不要となり、本来のあるべき循環型社会が構築しやすくなる。
【０１２２】
以上、実施の形態１〜３で説明された生ごみの処理装置、処理方法は、本発明の趣旨を説明する一例であり、本発明の趣旨を逸脱しない範囲での変形や改造を含む。
【符号の説明】
【０１２３】
１    リサイクルシステム
２    処理装置
３    集積所
４    家庭
５    事業場
６    燃焼装置
１２    本体筒
１３    燃焼筒
１４    通風路
２９    本体筒
３２    外筒
３３    内筒
３４    管路
３５    燃焼筒
３７    通風路
３８    通風口
３９    フレーム部材
４０    吹き出し口
４１    支持体
４２    軸受け
４５    供給口
【図１】
0005795504.tif 000002
【図２】
0005795504.tif 000003
【図３】
0005795504.tif 000004
【図４】
0005795504.tif 000005
【図５】
0005795504.tif 000006
【図６】
0005795504.tif 000007
【図７】
0005795504.tif 000008